(57)【要約】    【課題】      通信端末装置のメッセージの誤送信の頻度を低減し、通信端末装置の通信品質低下を防止する無線通信システムおよび無線通信方法を提供すること。    【解決手段】  通信端末装置１０１から基地局装置１５１に対する送信許可要求情報の送信と、その送信許可要求情報に応じた基地局装置１５１から通信端末装置１０１に対する制御情報の送信とが複数回繰り返される。これにより、通信端末装置１０１がその制御情報の内容が送信不許可を示すものであるにも拘わらず、送信許可を示すものであると誤認識した場合であっても、送信許可要求情報および制御情報の遣り取りを繰り返す回数を適当に設定することにより、送信不許可であることを正しく認識する確率が高くなる。そのため、通信端末装置のメッセージの誤送信の頻度を低減し、通信端末装置の通信品質低下を防止することができる。  【選択図】      図１
2005311705.tif 000002
【特許請求の範囲】
【請求項１】
通信端末装置によるデータの送信許可の求めに応じて、制御信号を前記通信端末装置に送信する基地局装置と、前記データの送信許可を求める送信許可要求を前記基地局装置に送信し、前記制御信号の内容に応じて前記データの送信を開始する通信端末装置とからなる無線通信システムにおいて、
前記通信端末装置は、
前記制御信号の内容に応じて、前記送信許可要求および前記データの送信を制御する制御手段を具備し、
前記制御手段は、
内容が通信不許可を示す前記制御信号を受け取ったと判定するまでは、前記送信許可要求および前記データを所定回数送信し、
前記所定回数以内で、通信不許可を示す前記制御信号を受け取ったと判定した場合には、前記送信許可要求および前記データの送信を停止する、
ことを特徴とする無線通信システム。
【請求項２】
基地局装置からの制御信号の内容に応じて、送信許可要求およびデータの前記基地局装置に対する送信を制御する制御手段を具備し、
前記制御手段は、
内容が通信不許可を示す前記制御信号を受け取ったと判定するまでは、前記送信許可要求および前記データを所定回数送信し、
前記所定回数以内で、通信不許可を示す前記制御信号を受け取ったと判定した場合には、前記送信許可要求および前記データの送信を停止する、
ことを特徴とする通信端末装置。
【請求項３】
前記制御手段は、
前記所定回数の最後に送信した送信許可要求に応じて前記基地局装置より送信された制御信号の内容が通信許可を示す場合に、後続する前記データの残りを連続送信することを特徴とする請求項２記載の通信端末装置。
【請求項４】
前記送信許可要求および前記データを多重して、前記基地局装置へ送信される多重信号を生成する多重手段を具備することを特徴とする請求項２又は請求項３に記載の通信端末装置。
【請求項５】
通信端末装置によるデータの送信許可の求めに応じて、制御信号を前記通信端末装置に送信する基地局装置と、前記データの送信許可を求める送信許可要求を前記基地局装置に送信し、前記制御信号の内容に応じて前記データの送信を開始する通信端末装置とからなる通信システムにおいて用いられる無線通信方法であって、
内容が通信不許可を示す前記制御信号を受け取ったと判定するまでは、前記送信許可要求および前記データを所定回数送信するステップと、
前記所定回数以内で、通信不許可を示す前記制御信号を受け取ったと判定した場合には、前記送信許可要求および前記データの送信を停止するステップと、
を具備することを特徴とする無線通信方法。
【発明の詳細な説明】
【技術分野】
【０００１】
本発明は、無線通信システムおよび無線通信方法に関し、特に通信端末装置のメッセージの誤送信の頻度を低減し、通信端末装置の通信品質低下を防止する無線通信システムおよび無線通信方法に関する。
【背景技術】
【０００２】
基地局装置が通信端末装置に対してメッセージを送信することを可能にするランダムアクセスチャネルを有する従来の無線通信システムが、特許文献１に記載されている。
【０００３】
この従来の無線通信システムの動作方法を、図４を参照して説明する。
【０００４】
上記従来の無線通信システムにおける通信端末装置は、基地局装置に対してプリアンブルを送信する。そして、基地局装置は、プリアンブルを受け取って正しく復号すると、受け取ったプリアンブルに対応するプリアンブル応答(Ａ)を伝送することができる。
【０００５】
図４に示される例においては、最初のプリアンブル５１が伝送された後、そのために割り当てられるスロット５２に(スロットは典型的に長さ１ｍｓ)応答が返されない。従って、通信端末装置は、一層高いパワーレベルで別のプリアンブル５１を伝送する。再びスロット５２に応答は返されないので、通信端末装置は、更に高いパワーで別のプリアンブル５１を伝送する。
【０００６】
通信端末装置より送信されたプリアンブル５１の受信が成功すると、そのプリアンブル５１を送信した通信端末装置に対して、応答信号Ａ５３を送信する。この応答信号Ａは、メッセージ５４の送信を許可することを示す送信許可情報、またはメッセージ５４の送信を許可しないことを示す送信不許可情報である。
【０００７】
この応答信号Ａが送信許可信号である場合には、図４に示すように、通信端末装置は、メッセージ５４に後続するメッセージ５５、５６…を送信する。また、応答信号Ａが送信不許可信号である場合には、通信端末装置は、再度プリアンブル５１を送信する必要がある。
【特許文献１】特表２００３−５１３５７３号公報
【発明の開示】
【発明が解決しようとする課題】
【０００８】
しかしながら、従来の無線通信システムにおいては、基地局装置が送信許可信号である応答信号Ａを送信せずに、基地局装置がメッセージの送信を許可していないにも拘わらず、通信端末装置が送信許可信号を受信したと誤認識し、通信端末装置がメッセージを連続送信してしまうことがある。この通信端末装置によるメッセージの誤送信は、他の通信端末装置の通信に対する干渉波となり、通信品質を低下させる問題がある。
【０００９】
本発明は、かかる点に鑑みてなされたものであり、通信端末装置のメッセージの誤送信の頻度を低減し、通信端末装置の通信品質低下を防止する無線通信システムおよび無線通信方法を提供することを目的とする。
【課題を解決するための手段】
【００１０】
本発明の無線通信システムは、通信端末装置によるデータの送信許可の求めに応じて、制御信号を前記通信端末装置に送信する基地局装置と、前記データの送信許可を求める送信許可要求を前記基地局装置に送信し、前記制御信号の内容に応じて前記データの送信を開始する通信端末装置とからなる無線通信システムにおいて、前記通信端末装置は、前記制御信号の内容に応じて、前記送信許可要求および前記データの送信を制御する制御手段を具備し、前記制御手段は、内容が通信不許可を示す前記制御信号を受け取ったと判定するまでは、前記送信許可要求および前記データを所定回数送信し、前記所定回数以内で、通信不許可を示す前記制御信号を受け取ったと判定した場合には、前記送信許可要求および前記データの送信を停止する構成を採る。
【発明の効果】
【００１１】
本発明によれば、通信端末装置のメッセージの誤送信の頻度を低減し、通信端末装置の通信品質低下を防止する無線通信システムおよび無線通信方法を提供することができる。
【発明を実施するための最良の形態】
【００１２】
本発明の骨子は、基地局装置に対して送信の許可を得て、データを送信する通信端末装置と、その送信の許可の求めに応じて制御信号をその通信端末装置に送信する基地局装置とからなる通信システムにおいて、通信端末装置から基地局装置に対する送信許可の求めと、それに応じた制御信号との遣り取りを複数回繰り返し、通信端末装置のメッセージの誤送信の頻度を低減することにより、通信端末装置の通信品質低下を防止することである。
【００１３】
以下、本発明の一実施の形態について図面を参照して詳細に説明する。
【００１４】
まず、本発明の一実施の形態に係る無線通信システムについて、図１を参照して説明する。
【００１５】
図１に示すように、無線通信システム１００は、通信端末装置１０１と基地局装置１５１とを備える。なお、無線通信システム１００は、多数の無線端末装置１０１および基地局装置１５１からなるが、図１にはそれぞれ１つずつ示している。
【００１６】
無線通信システム１００においては、通信端末装置１０１は、基地局装置１５１との間でランダムアクセスチャネルを用いたデータ送信をするために、まず、データ送信の許可を得るための送信許可要求情報を基地局装置１５１に対して送信する。
【００１７】
そして、基地局装置１５１は、送信許可要求情報を受け取ると、その送信許可要求情報を送信した通信端末装置１０１によるデータ送信を許可するか否かを判定する。通信端末装置１０１によるデータ送信を許可する場合には、基地局装置１５１は、データ送信の許可を示す制御信号（以下、「ＡＣＫ信号」という）を通信端末装置１０１に対して送信する。
【００１８】
一方、通信端末装置１０１によるデータ送信を許可しない場合には、基地局装置１５１は、データ送信の不許可を示す制御信号（以下、「ＮＡＣＫ信号」という）を通信端末装置１０１に対して送信する。
【００１９】
そして、通信端末装置１０１は、基地局装置１５１からＡＣＫ信号を受信した場合には、許可されたデータ送信における最初のパケットデータと上記送信許可要求情報とを多重して、基地局装置１５１に対して送信する。すなわち、通信端末装置１０１は、送信許可要求情報を基地局装置１５１に対して複数回送信することになる。なお、この多重方法は、例えば、符号分割多重、時間分割多重、周波数分割多重などを採用することができる。
【００２０】
また、通信端末装置１０１は、基地局装置１５１からＮＡＣＫ信号を受信した場合には、データ送信を停止する。
【００２１】
詳細に説明すると、この通信端末装置１０１は、アンテナ１０２と、受信無線部１０４と、制御信号検出部１０６と、ランダムアクセス制御部１０８と、送信回数設定部１１０と、送信許可要求情報生成部１１２と、データ信号生成部１１４と、多重部１１６を備える送信無線部１１８とを具備する。
【００２２】
受信無線部１０４は、基地局装置１５１から送信された信号を、アンテナ１０２を介して受信し、所定の処理を施して制御信号検出部１０６に出力する。
【００２３】
制御信号検出部１０６は、受信無線部１０４の出力信号に制御信号が含まれているかを検出するとともに、その制御信号がＡＣＫ信号であるかＮＡＣＫ信号であるかを判定し、その判定結果をランダムアクセス制御部１０８に出力する。
【００２４】
ランダムアクセス制御部１０８は、通信端末装置１０１が基地局装置１５１に対してランダムアクセスチャネルを用いてデータ送信を開始するに際して、送信許可要求情報の生成命令信号を送信許可要求情報生成部１１２に対して出力する。
【００２５】
また、ランダムアクセス制御部１０８は、制御信号検出部１０６における上記判定結果がＡＣＫ信号であることを示している場合にも、送信許可要求情報の生成命令信号を送信許可要求情報生成部１１２に対して出力する。
【００２６】
なお、この送信許可要求情報の生成命令信号は、予め設定された回数だけ出力され、この設定回数（以下、「設定送信回数」という）は、送信回数設定部１１０を用いて設定される。
【００２７】
さらに、ランダムアクセス制御部１０８は、制御信号検出部１０６における上記判定結果がＡＣＫ信号であることを示している場合には、データ信号生成部１１４に対してデータ信号生成命令とデータ信号出力命令とを出力する。なお、ランダムアクセス制御部１０８は、設定送信回数の最後に送られた送信許可要求情報に対して基地局装置１５１からＡＣＫ信号が返信された場合には、データ信号連続出力命令をデータ信号生成部１１４に出力する。
【００２８】
また、ランダムアクセス制御部１０８は、制御信号検出部１０６における上記判定結果がＮＡＣＫ信号であることを示している場合には、送信許可要求情報の生成命令信号を送信許可要求情報生成部１１２に対して出力しない。
【００２９】
さらに、ランダムアクセス制御部１０８は、制御信号検出部１０６における上記判定結果がＮＡＣＫ信号であることを示している場合には、データ信号生成部１１４に対してデータ信号出力中止命令を出力する。
【００３０】
送信許可要求情報生成部１１２は、ランダムアクセス制御部１０８からの生成命令信号に応じて送信許可要求情報を生成し、その送信許可要求情報を送信無線部１１８に対して出力する。
【００３１】
データ信号生成部１１４は、ランダムアクセス制御部１０８のデータ信号生成命令に応じて、入力されるデータを所定のデータ形態（データサイズ等）に変換（一連のデータを所定のデータサイズのパケットデータに分割することを含む）することにより送信データ信号を生成し、また、データ信号出力命令に応じてその送信データ信号を送信無線部１１８に出力する。また、データ信号生成部１１４は、ランダムアクセス制御部１０８からのデータ信号出力中止命令に応じて、データ信号の出力を中止する。
【００３２】
なお、この送信データ信号の出力は、設定送信回数だけ送信許可要求情報が送信されるまでは、データ信号出力命令がデータ信号生成部１１４に入力されるごとに１つの送信データ信号の出力がなされるが、上記データ信号連続出力命令がデータ信号生成部１１４に入力された後は、一連のデータが終了するまで連続的に送信データ信号の出力がなされる。ただし、送信許可要求情報の送信が設定送信回数に到達する前であっても、基地局装置１５１からＮＡＣＫ信号が返信された場合には、送信許可要求情報および送信データ信号の送信は停止する。
【００３３】
送信無線部１１８では、多重部１１６は、送信許可要求情報生成部１１２からの送信許可要求情報、およびデータ信号生成部１１４からの送信データ信号を多重して、多重信号を生成する。この多重信号は、送信無線部１１８により、アンテナ１０２を介して基地局装置１５１へ送信される。
【００３４】
なお、送信無線部１１８は、送信許可要求情報生成部１１２からの送信許可要求情報、またはデータ信号生成部１１４からの送信データ信号のみの入力がある場合には、送信許可要求情報または送信データ信号のみをアンテナ１０２を介して基地局装置１５１へ送信する。
【００３５】
一方、基地局装置１５１は、アンテナ１５２と、分離部１５４を備える受信無線部１５６と、送信許可要求情報検出部１５８と、制御部１６０と、送信無線部１６２とを具備する。
【００３６】
受信無線部１５６は、通信端末装置１０１から送信され、アンテナ１５２を介して受信した受信信号を受け取る。
【００３７】
この受信信号が多重信号である場合には、受信無線部１５６が備える分離部１５４は、その多重信号を、送信許可要求情報と送信データ信号とに分離する。そして、受信無線部１５６は、送信許可要求情報と送信データ信号とを出力するが、この送信許可要求情報は、送信許可要求情報検出部１５８へと出力される。
【００３８】
また、上記受信信号が、送信許可要求情報または送信データ信号のみである場合には、受信無線部１５６は、送信許可要求情報については送信許可要求情報検出部１５８へと出力し、また、送信データ信号についてはデータ処理部（図示せず）に出力する。
【００３９】
送信許可要求情報検出部１５８は、受信無線部１５６からの送信許可要求情報の入力を検出し、その検出情報を制御部１６０に出力する。
【００４０】
制御部１６０は、送信許可要求情報にかかる検出情報の入力がなされると、その送信許可要求情報を送信した通信端末装置１０１による送信データ信号の送信を許可するか不許可とするかを判定する。
【００４１】
制御部１６０は、通信端末装置１０１による送信データ信号の送信を許可すると判定する場合には、ＡＣＫ信号を生成し、そのＡＣＫ信号を送信無線部１６２に出力する。また、制御部１６０は、通信端末装置１０１による送信データ信号の送信を許可しないと判定する場合には、ＮＡＣＫ信号を生成し、そのＮＡＣＫ信号を送信無線部１６２に出力する。
【００４２】
送信無線部１６２は、制御部１６０からのＡＣＫ信号およびＮＡＣＫ信号を、アンテナ１５２を介して通信端末装置１０１へ送信する。
【００４３】
次いで、無線通信システム１００の動作について、図２を参照して説明する。
【００４４】
なお、図２は、無線通信システム１００の動作の一例を説明するための図であり、図２（ａ）は、基地局装置１５１で受信される情報を時間軸に沿って示している。図２（ｂ）は、通信端末装置１０１で受信される情報を時間軸に沿って示している。また、図２の縦軸方向は、多重の有無を示しており、図２（ａ）における送信許可要求情報（図中では、「Ｐ」と表示する）２０３と、送信データ信号（図中では、「メッセージ」と表示する）２０４とは、多重された多重信号として、受信されていることが示されている。
【００４５】
図２に示すように、まず通信端末装置１０１は、基地局装置１５１との間でランダムアクセスチャネルを用いたデータ送信をするために、データ送信の許可を得るための送信許可要求情報２０１を基地局装置１５１に対して送信し、基地局装置１５１は、この送信許可要求情報２０１を受信する。
【００４６】
基地局装置１５１は、受信した送信許可要求情報２０１に応じて、この送信許可要求情報２０１を送信した通信端末装置１０１によるデータ送信を許可するか否かを判定する。ここでは、送信を許可しない判定を行っており、基地局装置１５１は、ＮＡＣＫ信号２０２を通信端末装置１０１に対して送信し、通信端末装置１０１は、このＮＡＣＫ信号２０２を受信する。
【００４７】
通信端末装置１０１は、基地局装置１５１からＮＡＣＫ信号を受信すると、通常はランダムアクセス制御部１０８がデータ送信を停止する制御を行うが、ここでは、ＮＡＣＫ信号２０２を受信したにも拘わらず、ＡＣＫ信号を受信したと誤認定したとする。
【００４８】
このような誤認定をした場合には、通信端末装置１０１は、送信許可要求情報２０３と送信データ信号２０４との多重信号を送信し、基地局装置１５１は、この多重信号を受信する。
【００４９】
基地局装置１５１は、受信した多重信号を送信許可要求情報２０３と送信データ信号２０４とに分離し、送信許可要求情報２０３を受信したことを検出すると、この送信許可要求情報２０３を送信した通信端末装置１０１に対しては、送信許可要求情報２０１を受信した際にＮＡＣＫ信号を送信していることを認識する。しかし、基地局装置１５１は、この送信許可要求情報２０３を送信した通信端末装置１０１によるデータ送信を許可するか否かを再度判定する。なお、ここでは、送信を許可しない判定を行っており、基地局装置１５１は、ＮＡＣＫ信号２０５を通信端末装置１０１に対して送信し、通信端末装置１０１は、このＮＡＣＫ信号２０５を受信する。
【００５０】
通信端末装置１０１は、基地局装置１５１からＮＡＣＫ信号２０５を受信すると、ランダムアクセス制御部１０８がデータ送信を停止する制御を行う。そのため、基地局装置１５１では、送信許可要求情報２０３と送信データ信号２０４とが多重された多重信号以降に、一連の送信データ信号を受信していない。
【００５１】
なお、設定送信回数が２回とすると、通信端末装置１０１がＮＡＣＫ信号２０５の代わりにＡＣＫ信号を受信した場合には、通信端末装置１０１は、一連のデータが終了するまで連続的に送信データ信号を送信する。
【００５２】
次いで、図３を参照して、設定送信回数が３回の場合の無線通信システム１００の動作の一例について説明する。なお、図３の表示方法は、図２の場合と同様である。
【００５３】
図３に示すように、まず通信端末装置１０１は、基地局装置１５１との間でランダムアクセスチャネルを用いたデータ送信をするために、データ送信の許可を得るための送信許可要求情報３０１を基地局装置１５１に対して送信し、基地局装置１５１は、この送信許可要求情報３０１を受信する。
【００５４】
基地局装置１５１は、受信した送信許可要求情報３０１に応じて、この送信許可要求情報３０１を送信した通信端末装置１０１によるデータ送信を許可するか否かを判定する。ここでは、送信を許可しない判定を行っており、基地局装置１５１は、ＮＡＣＫ信号３０２を通信端末装置１０１に対して送信し、通信端末装置１０１は、このＮＡＣＫ信号３０２を受信する。
【００５５】
通信端末装置１０１は、基地局装置１５１からＮＡＣＫ信号を受信すると、通常はランダムアクセス制御部１０８がデータ送信を停止する制御を行うが、ここでは、ＮＡＣＫ信号３０２を受信したにも拘わらず、ＡＣＫ信号を受信したと誤認定したとする。
【００５６】
このような誤認定をした場合には、通信端末装置１０１は、送信許可要求情報３０３と送信データ信号３０４との多重信号を送信し、基地局装置１５１は、この多重信号を受信する。
【００５７】
基地局装置１５１は、受信した多重信号を送信許可要求情報３０３と送信データ信号３０４とに分離し、送信許可要求情報３０３を受信したことを検出すると、この送信許可要求情報３０３を送信した通信端末装置１０１に対しては、送信許可要求情報３０１を受信した際にＮＡＣＫ信号を送信していることを認識する。しかし、基地局装置１５１は、この送信許可要求情報３０３を送信した通信端末装置１０１によるデータ送信を許可するか否かを判定する。ここでは、送信を許可する判定を行っており、基地局装置１５１は、ＡＣＫ信号３０５を通信端末装置１０１に対して送信し、通信端末装置１０１は、このＡＣＫ信号３０５を受信する。
【００５８】
通信端末装置１０１は、基地局装置１５１からＡＣＫ信号３０５を受信すると、まだ設定送信回数の３回に送信要求情報を送信した回数が到達していないので、ランダムアクセス制御部１０８が送信許可要求情報と送信データ信号とを多重して多重信号を送信する制御を行う。そのため、通信端末装置１０１は、送信許可要求情報３０６と送信データ信号３０７との多重信号を送信し、基地局装置１５１は、この多重信号を受信する。
【００５９】
基地局装置１５１は、受信した多重信号を送信許可要求情報３０６と送信データ信号３０７とに分離し、送信許可要求情報３０６を受信したことを検出すると、この送信許可要求情報３０６を送信した通信端末装置１０１に対しては、送信許可要求情報３０３を受信した際にＡＣＫ信号を送信していることを認識する。しかし、基地局装置１５１は、この送信許可要求情報３０６を送信した通信端末装置１０１によるデータ送信を許可するか否かを判定する。ここでは、送信を許可する判定を行っており、基地局装置１５１は、ＡＣＫ信号３０８を通信端末装置１０１に対して送信し、通信端末装置１０１は、このＡＣＫ信号３０８を受信する。
【００６０】
通信端末装置１０１は、基地局装置１５１からＡＣＫ信号３０５を受信すると、今度は設定送信回数の３回に送信許可要求情報を送信した回数が到達しているので、ランダムアクセス制御部１０８が送信データ信号を連続送信する制御を行う。そのため、通信端末装置１０１は、一連のデータが終了するまで連続的に送信データ信号（図中では、メッセージ３０９以降）を送信する。
【００６１】
なお、通信端末装置１０１は、図３（ｂ）に示したＮＡＣＫ信号３０２、ＡＣＫ信号３０５およびＡＣＫ信号３０８のいずれかのタイミングにおいて、受信した制御信号がＮＡＣＫ信号であると判断した時には、それ以降の送信データ信号の送信を停止する。
【００６２】
このように本実施の形態によれば、通信端末装置１０１から基地局装置１５１に対する送信許可要求情報の送信と、その送信許可要求情報に応じた基地局装置１５１から通信端末装置１０１に対する制御情報の送信とが複数回繰り返される。これにより、通信端末装置１０１がその制御情報の内容が送信不許可を示すものであるにも拘わらず、送信許可を示すものであると誤認識した場合であっても、送信許可要求情報および制御情報の遣り取りを繰り返す回数を適当に設定することにより、送信不許可であることを正しく認識する確率が高くなる。そのため、通信端末装置のメッセージの誤送信の頻度を低減し、通信端末装置の通信品質低下を防止することができる。
【００６３】
また、本実施の形態によれば、２番目以降の送信許可要求情報と送信データ信号とが多重されて通信端末装置１０１から基地局装置１５１へ送信される。これにより、通信端末装置のメッセージの誤送信の頻度を低減できるとともに、誤送信とならない場合には送信許可要求情報と一緒に送信データ信号も送信されているので、一連の送信データ信号の送信にかかる時間が長期化することを防止することができる。
【００６４】
なお、本実施の形態においては、基地局装置１５１のランダムアクセス制御部１０８が、通信端末装置１０１からの最初の送信許可要求情報に応じて送信許可または不許可の判定をするとともに、２回目以降に送信許可要求情報を受信した際にも再度判定を行い、その結果としてＡＣＫ信号またはＮＡＣＫ信号を送信するものとして説明を行った。
【００６５】
しかし、基地局装置１５１のランダムアクセス制御部１０８は、最初の判定に対応したＡＣＫ信号またはＮＡＣＫ信号を繰り返し送信することとしても、上記システムは、通信端末装置のメッセージの誤送信の頻度を低減し、通信端末装置の通信品質低下を防止するという目的を達成することができ、また、ランダムアクセス制御部１０８の処理負担を低減することができる。
【００６６】
また、本実施の形態においては、送信許可要求情報と制御情報とを遣り取りすることとして説明したが、これに限定されるものではなく、ユーザの認証要求と承認情報とを遣り取りすることとしても、本システムは成立する。
【００６７】
以上のように、本実施の形態によれば、基地局装置に対して送信の許可を得て、データを送信する通信端末装置と、その送信の許可の求めに応じて制御信号をその通信端末装置に送信する基地局装置とからなる通信システムにおいて、通信端末装置から基地局装置に対する送信許可の求めと、それに応じた制御信号との遣り取りを複数回繰り返すことにより、通信端末装置のメッセージの誤送信の頻度を低減することができる。これにより、干渉電力を削減することができるので、通信端末装置の通信品質低下を防止することができる。
【産業上の利用可能性】
【００６８】
本発明は、通信端末装置のメッセージの誤送信の頻度を低減し、通信端末装置の通信品質低下を防止する無線通信システムおよび無線通信方法として有用である。
【図面の簡単な説明】
【００６９】
【図１】本発明の一実施の形態に係る無線通信システムの構成を示すブロック図
【図２】本実施の形態の無線通信システムの動作の一例を説明するための図
【図３】本実施の形態の無線通信システムの動作の他の例を説明するための図
【図４】従来の無線通信システムの動作方法を説明するための図
【符号の説明】
【００７０】
１００  無線通信システム
１０１  通信端末装置
１０２、１５２  アンテナ
１０４、１５６  受信無線部
１０６  制御信号検出部
１０８  ランダムアクセス制御部
１１０  送信回数設定部
１１２  送信許可要求情報生成部
１１４  データ信号生成部
１１６  多重部
１１８  送信無線部
１５１  基地局装置
１５４  分離部
１５８  送信許可要求情報検出部
１６０  制御部
１６２  送信無線部
【図１】
2005311705.tif 000003
【図２】
2005311705.tif 000004
【図３】
2005311705.tif 000005
【図４】
2005311705.tif 000006